(57)【特許請求の範囲】
【請求項１】
垂直平面状の化粧面と、該化粧面の下端を内方に屈曲した当接片と、該当接片の先端を外方に傾斜して突出した水切り片と、化粧面の上端を内方に屈曲した上面と、該上面の先端を内方に屈曲した固定部とからなることを特徴とする窓下水切り。
【発明の詳細な説明】
【０００１】
【産業上の利用分野】
本発明は内、外装材として使用する乾式壁材の端部をカバーし、窓下の納めに使用する窓下水切りに関するものである。
【０００２】
【従来の技術】
従来から使用されている端部をカバーする止縁Ｄの一例としては、図１２に示すような家屋において、図１３、図１４に示すように当接目Ｄ1 を有する止縁Ｄを壁下地α（木造下地、鉄骨下地、防水シート等、あるいは既存壁下地、等よりなる）と窓γ間に固定具βにより施工し、乾式壁材Ｃの木口端部をカバーするものであった。
【０００３】
【発明が解決しようとする課題】
しかしながら、これら窓廻り部分は雨水が集まって流れるために、水垢、埃、塵、シーリング材等に付いた埃、等が雨水の流れにより流下し、乾式壁材Ｃの化粧面６ａを図１３に示すように汚してしまうものであった。これは、乾式壁材Ｃにとどまらず、湿式のモルタル壁、コンクリート壁等でも生じるものであった。
【０００４】
【課題を解決するための手段】
本発明はこのような欠点を除去するため、垂直平面状の化粧面と、化粧面の下端を内方に屈曲した当接片と、当接片の先端を外方に傾斜して突出した水切り片と、化粧面の上端を内方に屈曲した上面と、上面の先端を内方に屈曲した固定部とからなる窓下水切りを使用することにより、上記欠点を排除した窓下水切りを提供するものである。
【０００５】
【実施例】
以下に図面を用いて本発明に係る窓下水切りの一実施例について詳細に説明する。すなわち、図１は本発明に係る窓下水切りを示す斜視図、図２は本発明に係る窓下水切りを窓γの下に形成した一実施例を示す断面図、図３（ａ）、（ｂ）は本発明に係る窓下水切りを窓γの下に形成した実施例を示す平面図であり、Ａは窓下水切り、Ｂはシーリング材、Ｃは乾式壁材、Ｄは止縁である。
【０００６】
窓下水切りＡは図１に示すように、垂直平面状の化粧面１と、化粧面１の下端を内方に屈曲した当接片２と、当接片２の先端を外方に傾斜して突出した水切り片３と、化粧面１の上端を内方に屈曲した上面４と、上面４の先端を内方に屈曲した固定部５とからなる長尺状のものである。勿論、流れる雨水が乾式壁材Ｃ上に流下しないように形成するために、図３（ａ）、（ｂ）のように長尺状に場合には、窓γの幅をＬ、窓下水切りＡの長さをＷとすると、Ｗ＝Ｌ＋（３０ｍｍ〜１００ｍｍ）程度に形成するものである。また、図３（ｂ）のように窓γの両サイド部分にのみ水切り片３を形成した場合には、Ｗ1 ＝３０ｍｍ〜１００ｍｍ程度に形成するものである。なお、図では窓γの枠として止縁Ｄを窓γに形成した場合を示しているものである。
【０００７】
化粧面１は乾式壁材Ｃの切断端部を被覆し、端部が外部に露出しないように形成したものである。
【０００８】
当接片２は乾式壁材Ｃの化粧面６ａに常時弾力を介して接触し、乾式壁材Ｃと窓下水切りＡ間に間隙が形成されるのを防止し、防水性、施工性、納まりを向上するためのものである。
【０００９】
水切り片３は窓γの枠を流れてきた雨水等を、下方の乾式壁材Ｃの化粧面６ａ上に流下させないように形成したものである。
【００１０】
固定部５は乾式壁材Ｃ上に窓下水切りＡを固定するための部分である。
【００１１】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００１２】
勿論、窓下水切りＡ、乾式壁材Ｃ、止縁Ｄ間には必要によりシーリング材Ｂを形成して防水性を強化するものである。
【００１３】
シーリング材Ｂは、乾式壁材Ｃと窓下水切りＡ間から内部に雨水が浸入しないように形成したものである。その素材としては、例えば定型・弾性シーリング材Ｂ1 としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型シーリング材Ｂ2 としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるシーリング材Ｂを使用しても良いものである。
【００１４】
乾式壁材Ｃは図４に示すように表面材６と裏面材７間に芯材８を形成し、両端に雄型連結部９と雌型連結部１０を形成したものであり、図５に示すように、固定具βの打設と、雄型連結部９と雌型連結部１０を嵌合することにより乾式壁材Ｃを連結するものである。
【００１５】
表面材６、裏面材７は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形、等して各種任意形状に形成したものである。
【００１６】
芯材８は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材６、もしくは裏面材７の裏面側に吐出させ、加熱して反応・発泡・硬化させて形成したものである。また、芯材８中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることも出来る。
【００１７】
さらに詳説すると、芯材８は主に断熱材、防火材、接着剤、補強材、緩衝材、吸音材、嵩上材、軽量化材、等として機能するものである。勿論、芯材８としてロックウール、グラスウール、セラミックウール等の無機材を使用しても良いものである。
【００１８】
次に、本発明に係る窓下水切りの施工方法について、図２、図３、図５を用いて簡単に説明する。まず、図１に示すような窓下水切りＡを窓γの下の壁下地αに固定具βを介して固定する。次に、図４に示すような乾式壁材Ｃを図５に示すように横張りで順次連結して固定する。最後に、窓下水切りＡ、乾式壁材Ｃ、止縁Ｄ間にシーリング材Ｂを形成して防水性を強化するものである。勿論、縦張りの乾式壁材Ｃを使用することも出来るものである。
【００１９】
勿論、施工時には図６に示すように窓下水切りＡの両端部の上面４部分を、窓γの側面に形成した止縁Ｄの化粧面の長さに合わせて切り欠き、切り欠き４ａを形成するものである。その切り欠き４ａの長さをＴ、図３（ａ）、（ｂ）に示すように止縁Ｄの化粧面の長さをｌ、窓下水切りＡの突出長さをｔとすると、Ｔ＝ｌ＋ｔである。このように、切り欠き４ａを形成することにより、窓γの周囲に窓下水切りＡの空間Ａ1 と止縁Ｄの空間Ｄ2 が連続して形成され、施工が可能な状態になるものである。
【００２０】
【その他の実施例】
以上説明したのは本発明に係る窓下水切りの一実施例にすぎず、窓下水切りＡを図７（ａ）〜（ｆ）、図８（ａ）〜（ｄ）、図９（ａ）、（ｂ）、乾式壁材Ｃを図１０（ａ）〜（ｇ）に示すように形成することも出来る。
【００２１】
すなわち、図７（ａ）〜（ｆ）において、（ａ）〜（ｅ）図は水切り片３を各種変形した窓下水切りＡ、（ｆ）図はアルミ合金、合成樹脂（プラスチック）等の押出品より形成した窓下水切りＡである。
【００２２】
また、図８（ａ）〜（ｄ）は窓下水切りＡを図３（ｂ）に示すように施工する場合にの実施例であり、特に（ｂ）図は両端部に側面３ａを形成した窓下水切りＡである。このように側面３ａを形成することにより、窓γの枠を流れる雨水が確実に水切り片３より流れ落ち、乾式壁材Ｃの化粧面６ａ上に流れ落ちることが無く、乾式壁材Ｃの汚れを確実に防止するものである。なお、（ｃ）、（ｄ）図は（ａ）、（ｂ）の端面図である。
【００２３】
さらに、図９（ａ）、（ｂ）は窓下水切りＡの両端部に側面３ａを形成した窓下水切りＡである。このように側面３ａを形成することにより、窓γの枠を流れる雨水が確実に水切り片３より流れ落ち、乾式壁材Ｃの化粧面６ａ上に流れ落ちることが無く、乾式壁材Ｃの汚れを確実に防止するものである。
【００２４】
図１０（ａ）〜（ｇ）において、（ａ）〜（ｃ）図は縦張りの乾式壁材Ｃ、（ｄ）〜（ｇ）図は横張りの乾式壁材Ｃのその他の実施例を示すものである。
【００２５】
図１１は窓下水切りＡを半外付けサッシに形成した場合を示す施工状態断面図である。
【００２６】
【発明の効果】
上述したように本発明に係る窓下水切りによれば、▲１▼窓枠からの汚れの流れが無くなる。▲２▼新築時、改修時の両方に形成出来る。▲３▼当接片が常時弾性を発揮し、窓下水切りと乾式壁材間に間隙が形成されることが無く、防水性、納まり（美感性）が良い。▲４▼両端に側面を形成すれば、窓の枠を流れる雨水が確実に水切り片より流れ落ち、乾式壁材の化粧面上に流れ落ちることが無く、乾式壁材の汚れを確実に防止することが出来る。等の特徴、効果がある。
【図面の簡単な説明】
【図１】本発明に係る窓下水切りの代表例を示す説明図である。
【図２】本発明で使用する窓下水切りの施工状態をを示す断面図である。
【図３】本発明で使用する窓下水切りの施工状態をを示す平面図である。
【図４】本発明で使用する乾式壁材を示す断面図である。ある。
【図５】本発明で使用する乾式壁材の施工状態を示す断面図である。
【図６】本発明で使用する窓下水切りの代表例を示す説明図である。
【図７】本発明で使用する窓下水切りのその他の実施例を示す断面図である。
【図８】本発明で使用する窓下水切りのその他の実施例を示す説明図である。
【図９】本発明で使用する窓下水切りのその他の実施例を示す説明図である。
【図１０】本発明で使用する乾式壁材のその他の実施例を示す断面図である。
【図１１】本発明で使用する窓下水切りを半外付けサッシに形成した一実施例を示す断面図である。
【図１２】従来例を示す説明図である。
【図１３】従来例を示す説明図である。
【図１４】従来例を示す説明図である。
【符号の説明】
Ａ  窓下水切り
Ａ1   空間
Ｂ  シーリング材
Ｂ1   定型・弾性シーリング材
Ｂ2   硬化型シーリング材
Ｄ  止縁
Ｄ1   当接面
Ｄ2   空間
α  壁下地
β  固定具
γ  窓
１  化粧面
２  当接片
３  水切り片
３ａ  側面
４  上面
４ａ  切り欠き
５  固定部
６  表面材
６ａ  化粧面
７  裏面材
８  芯材
９  雄型連結部
１０  雌型連結部
【図１】
0003806783.tif 000002
【図２】
0003806783.tif 000003
【図３】
0003806783.tif 000004
【図４】
0003806783.tif 000005
【図５】
0003806783.tif 000006
【図６】
0003806783.tif 000007
【図７】
0003806783.tif 000008
【図８】
0003806783.tif 000009
【図９】
0003806783.tif 000010
【図１０】
0003806783.tif 000011
【図１１】
0003806783.tif 000012
【図１２】
0003806783.tif 000013
【図１３】
0003806783.tif 000014
【図１４】
0003806783.tif 000015